(57)【要約】【課題】固形物入りの液体包装装置の間隔幅が広い長円形の被包装物投入口１は、加熱溶着筒体４を閉じてシールしたときにしわが寄ってしまいがちである。【解決手段】製筒手段２が被包装物投入口１付近に設けられて、合成樹脂製の加熱溶着フィルム３の両端３ａを互いに加熱溶着し筒状にする。加熱溶着筒体４が上記の製筒手段２により製筒され、筒体拡幅手段５が上記の加熱溶着筒体３の内部に設けられるようになっていその横断シール箇所を左右に広げる。そして、その先端となる受動部には受動回転部５ａが設けられている。さらに、筒体拡幅駆動手段６が上記の筒体拡幅手段５を駆動する。そして、その先端となる駆動部には駆動回転部６ａが設けられている。最後に、加熱横断シール手段７が上記の筒体拡幅手段５の直下にある上記の移動手段Ｒの直下に設けられて、その加熱溶着筒体３の上下部を横断状に密閉シールする。【選択図】　図１
2004035090.tif 000002
【特許請求の範囲】
【請求項１】
被包装物投入口、該被包装物投入口付近に設けられたものであって筒体拡幅手段加熱溶着フィルムの両端を互いに溶着して筒状にする製筒手段、該製筒手段により製筒された加熱溶着筒体を下流に移動するローラー等の移動手段、該移動手段の直前に設けられたものであってピボットを中心に左右対称に回動し上記の加熱溶着筒体の横断シール箇所を左右に広げるものであって且つその先端となる受動部に受動回転部が設けられている一対の筒体拡幅手段、該筒体拡幅手段を駆動するものであって且つその先端となる駆動部に駆動回転部が設けられている一対の筒体拡幅駆動手段、該筒体拡幅手段の直下にある上記の移動手段の直下に設けられた加熱横断シール手段、より構成されることを特徴とした包袋機。
【請求項２】
被包装物投入口、該被包装物投入口の付近に設けられたものであって筒体拡幅手段加熱溶着フィルムの両端を互いに溶着して筒状にする製筒手段、該製筒手段により製筒された加熱溶着筒体を下流に移動するローラー等の移動手段、該移動手段の直前に設けられたものであってピボットを中心に左右対称に回動し上記の加熱溶着筒体の横断シール箇所を左右に広げるものであって且つその先端となる受動部に受動滑走部が設けられている一対の筒体拡幅手段、該筒体拡幅手段を駆動するものであって且つその先端となる駆動部に駆動滑走部が設けられている一対の筒体拡幅駆動手段、該筒体拡幅手段の直下にある上記の移動手段の直下に設けられた加熱横断シール手段、より構成されることを特徴とした包袋機。
【発明の詳細な説明】
【０００１】
【発明の属する技術分野】
本発明は、広くは食品等の包装物を包装する包装装置に関するものであり、特に加熱溶着フィルム使用の密閉包装装置に関するものである。就中、惣菜等の粘体または液体中に固形物の入った物を密着シールする包装装置に関するものである。
【０００２】
【従来の技術】
従来、加熱溶着フィルム使用の包装シール装置は、固形物を包装するものと液体を包装するものと、さらには惣菜等の粘体または液体中に固形物の入った物を包装する包装装置がある。
【０００３】
【発明が解決しようとする課題】
しかして、固形物を包装する場合にはそのシールの密閉性はそれほど問題にならない。一方、液体のみを包装する場合には、その密閉性が大事で大きな問題となるが、その横断シール部すなわちその袋の上下（入り口と底部）の横断シール部のシールの密閉性確保には大きな問題は生じない。何故ならば、液体はその袋への投入口の対抗部が非常に狭いスリット状の筒体拡幅手段もその隙間を容易にすり抜けてその袋内に投入できるためである。それゆえに、その袋の横断シール部はスリット状の拡幅平行状に保てることにより、その横断シール時にそのシール部にしわが寄ることはない。それで、そのシールの密閉性が保てる。
【０００４】
しかし、惣菜等の粘体または液体中に固形物の入った物をその包装袋内に投入する場合には、その包装袋への被包装物投入口の対抗する壁面が非常に狭いスリット状のものであると、その液体はそこを容易にすり抜けることができるが、その中の固形物はそのスリット状の投入口に引っかかってしまう。それでその対抗する壁面を広い円形や楕円形にして、その固形物も容易にその投入口を通り抜けることができるようにしなければならないことになる。
【０００５】
そうすると、今度はその袋の上下部（包装袋の底部と入り口）を横断状にシールするときに、その上下部が円形又はそのシール部分の対抗する面の間隔が広い長円形（図１のＡの被包装物投入口１のごときそのシール面の対抗する間隔が広い形状）の状態であるために、その対抗部を無理矢理平行に接触させると、そこにしわが寄りやすくなる。すなわち、スリット状の対抗部は互いに閉じてもそのシール面は直線状に平行なのですんなり重なり合う。しかし、円形とか円に近いか又は幅広の長円形の場合はそれを閉じたときにはその左右への無理な力が生じてしまい、そこにしわが寄ってしまいがちである。そうすると、そのシール部のしわの箇所から液体や粘体がにじみ出てしまう。
【０００６】
【課題を解決するための手段】
本発明にかかる包袋機用加熱溶着フィルムに使用の包装袋への固形物投入と包装袋密閉シール装置は、以上の問題点を解決するために、その袋の上下部となる横断シール部にその加熱溶着筒体の横断シール箇所を左右に広げる手段とその筒体拡幅手段を駆動する筒体拡幅駆動手段を設けたものとした。これにより、その加熱溶着筒体のシール面の対抗する間隔を図２のＡのごとくに狭めると同時にその対向する面を平行状にしたものである。それにより、そのシール時のしわの発生を抑制した構成にしたものである（なお、この加熱溶着筒体のシール面の対抗する間隔は実際は非常に狭いものであるが、図２のＡでは分かりやすくするために多少広く描いた）。
【０００７】
また、筒体拡幅手段に受動回転部（受動滑走部）を設け、さらに筒体拡幅駆動手段にも駆動回転部（駆動滑走部）を設けて、その加熱溶着フィルムとの摩擦を解消しその加熱溶着フィルムの破損を防ぐ構成とした。
【０００８】
以下に、本発明にかかる包袋機用加熱溶着フィルムに使用の包装袋への固形物投入と包装袋密閉シール装置の具体的な構成を詳細に記載する。最初に、本発明の請求項１に記載した発明の構成を説明する。この発明は、まず、被包装物投入口がある。つぎに、製筒手段がある。この製筒手段は、上記の被包装物投入口付近に設けられたものであり、且つ加熱溶着フィルムの両端を互いに溶着して筒状にするものである。そして、ローラー等の移動手段がある。この移動手段は、上記の製筒手段により製筒された加熱溶着筒体を下流に移動するものである。そして、一対の筒体拡幅手段がある。この一対の筒体拡幅手段は、上記の移動手段の直前に設けられたものであって、ピボットを中心に左右対称に回動し、上記の加熱溶着筒体の横断シール箇所を左右に広げるものである。そして、その先端となる受動部に受動回転部が設けられているものである。
【０００９】
さらに、筒体拡幅駆動手段がある。この筒体拡幅駆動手段は、上記の筒体拡幅手段を駆動するものであって且つその先端となる駆動部に駆動回転部が設けられているものである。最後に、加熱横断シール手段がある。この加熱横断シール手段は、上記の筒体拡幅手段の直下にある上記の移動手段の直下に設けられたものである。
【００１０】
つぎに、本発明にかかる包袋機用加熱溶着フィルムに使用の包装袋への固形物投入と包装袋密閉シール装置の請求項２に記載した発明の構成を説明する。この発明は、以下の点以外は上記の請求項１の発明の構成と同一である。それゆえに、上記の請求項１の発明の構成の説明の全文の中から以下の点を除いてそれをここに援用して、以下の構成の説明をこれに追加する。この発明と上記の請求項１の発明の構成との差異は、受動回転部と駆動回転部の存在である。この受動回転部と駆動回転部は、必ずしも回転部材である必要はなく、その加熱溶着フィルムに対して滑りのよい部材であればよいのであるからそれぞれその受動回転部と駆動回転部を受動滑走部と駆動滑走部とする。
【００１１】
【発明の実施の形態】
以下に、本発明にかかる包袋機用加熱溶着フィルムに使用の包装袋への固形物投入と包装袋密閉シール装置の一般的な実施の形態を述べる。まず、製筒手段が不撓性で長円筒の被包装物投入口付近に設けられて、フレキシブルな合成樹脂製の加熱溶着フィルムの両端を互いに加熱溶着してその加熱溶着フィルムを筒状にする。そして、加熱溶着筒体が上記の製筒手段により包袋用に製筒されて、移動手段によりその製筒手段の下流に移動させられる。
【００１２】
さらに、筒体拡幅手段が上記の加熱溶着筒体の内部に設けられるようになっていて、この加熱溶着筒体の横断シール箇所を左右に広げる。この筒体拡幅手段の先端となる受動部には受動回転部（受動滑走部）が設けられていて、その加熱溶着筒体との滑りをよくしている。そして、筒体拡幅駆動手段が上記の筒体拡幅手段５を駆動する。そして、その先端となる駆動部に駆動回転部（駆動滑走部）が設けられていて、その加熱溶着筒体との滑りをよくしている。最後に、ヒーター入りの加熱横断シール手段が上記の筒体拡幅手段５の直下にある上記の移動手段の直下に設けられ、その加熱溶着筒体の上下部を横断状にシールする。
【００１３】
【実施例】
しかして、本発明にかかる包袋機用加熱溶着フィルムに使用の包装袋への固形物投入と包装袋密閉シール装置をその具体的な実施例を用いて添付の図面と共に詳細に述べる。この発明は、まず、不撓性で長円筒の被包装物投入口１がある。つぎに、包袋用の筒を作る製筒手段２がある。この製筒手段２は、上記の被包装物投入口１付近に設けられたものである。そして、フレキシブルな合成樹脂製の加熱溶着フィルム３の両端３ａを互いに加熱溶着してその加熱溶着フィルム３を筒状にするものである。さらに、加熱溶着筒体４がある。この加熱溶着筒体４は、上記の製筒手段２により製筒されたものである。そして、移動手段Ｒによりその製筒手段２の下流に移動させられたものである。
【００１４】
さらには、一対の筒体拡幅手段５がある。この筒体拡幅手段５は、上記の移動手段Ｒの直下であって、その加熱溶着筒体３の内部に包み込まれる状態に位置づけされたものである。そして、この加熱溶着筒体３の横断シール箇所をその筒体拡幅手段５のピボットＰを中心にそれぞれ対向して回動し、その加熱溶着筒体３を左右に広げるものである。そして、その先端となる受動部にはボールベアリングとかローラー状等の受動回転部５ａが設けられている。そして、筒体拡幅駆動手段６がある。この筒体拡幅駆動手段６は、上記の筒体拡幅手段５を駆動するものであって、且つその先端となる駆動部にボールベアリングとかローラー状等の駆動回転部６ａが設けられている。
【００１５】
なお、この受動回転部５ａと駆動回転部６ａは、その加熱溶着フィルム３に対して滑りのよい部材であればよいのであるから、その受動回転部５ａと駆動回転部６ａは、回転機能のないものであって滑りやすい部材のみから成るという受動滑走部と駆動滑走部としてもよい。さらには、電気ヒーター入りの一対の開閉自在の加熱横断シール手段７がある。この加熱横断シール手段７は、上記の筒体拡幅手段５の直下にある上記の移動手段Ｒであるローラーの直下にある筒体拡幅手段５に設けられたものであって、その加熱溶着筒体３の上下部を横断状に密閉シールする。
【００１６】
しかして、以上をもとにその動作を説明する。まず、図１の状態にある製筒手段２に上記の被包装物投入口１から惣菜等の被包装物８が投入される。この時、その筒体拡幅手段５の底部は密閉シールされており、その加熱横断シール手段７は開いている（図１のＡとＢおよび図３のＡ１とＡ２を参照）。そして、図３のＡ２のごとくに、その被包装物８がその加熱溶着筒体４に投入された後に、その筒体拡幅駆動手段６の駆動回転部６ａが図３のＢのように左右から飛び出して、その加熱溶着フィルム３を通してその筒体拡幅手段５の受動回転部５ａを押し、その筒体拡幅手段５の先端部分を開かせる。それで、その加熱溶着筒体４の入り口の開口部は、図２および図３のＢ１・２のように左右に広げられる。それで、その加熱溶着筒体４の対抗するシール面は図２のＡとか図３のＢ１のように平行状態に近づく。その後で、その移動手段（加熱溶着筒体移動ローラー）Ｒが閉じて回転し、その加熱溶着筒体４を送り出す。つぎに、その加熱横断シール手段７は図４のＡのごとくに閉じて、その加熱溶着筒体４のその部分を加熱用着して横断状に密閉シールをする。
【００１７】
そして、その加熱横断シール手段７（この図面では、加熱溶着筒体移動ローラーＲを分かりやすくするように、その加熱横断シール手段７は省略されている）は開いて、加熱溶着筒体移動ローラーＲを閉じてその図のごとくに回転させられる（図４のＢと図５のＡ１を参照）。最後に、その加熱溶着筒体移動ローラーＲの回転を止めて、その加熱溶着筒体４の密着シールした部分の中程を横にカットする（図５のＢ２を参照）ものである。これで、その下部の包装済みの袋は落下し、図１の状態に戻る。
【００１８】
【発明の効果】
本発明にかかる包袋機用加熱溶着フィルムに使用の包装袋への固形物投入と包装袋密閉シール装置は、以上のごとくになしたゆえに、上記の課題を解決して以下のごとき多大な効果が生じた。すなわち、固形物入りの液体包装装置の間隔幅が広い長円形の被包装物投入口は、加熱溶着筒体を閉じてシールしたときにもしわが寄ってしまわないものとなった。また、筒体拡幅手段の受動回転部と筒体拡幅駆動手段の駆動回転部がその加熱溶着フィルムとの摩擦を解消しその加熱溶着フィルムの破損を防ぐものとなった。また、筒体拡幅手段の受動回転部と筒体拡幅駆動手段の駆動回転部がその加熱溶着フィルムとの摩擦を解消しその加熱溶着フィルムの破損を防ぐものとなった。
【図面の簡単な説明】
【図１】本発明にかかる包袋機用加熱溶着フィルムに使用の包装袋への固形物投入と包装袋密閉シール装置の一実施例での筒体拡幅手段が開いていない状態の図であって、そのＡはその底面端面図であり、そのＢはその正面図を示したものである。
【図２】図１の実施例のものの筒体拡幅手段が開いている状態の図であって、そのＡはその底面端面図であり、そのＢはその正面図を示したものである。
【図３】図１の実施例の縮小図で、そのＡ１とＡ２はその筒体拡幅手段が閉じている状態であり、そのＢ１とＢ２はその筒体拡幅手段が開いている状態の図であって、さらにそのＡ１とＢ１はそれぞれその底面端面図であり、そのＡ２とＢ２はそれぞれその正面図を示したものである。
【図４】図３の実施例の次段階の図で、その筒体拡幅手段が開いている状態で、その加熱横断シール手段は閉じている状態の図であって、さらにそのＡはその底面端面図であり、そのＢはその正面図を示したものである。
【図５】図４の実施例の次段階の図で、その加熱横断シール手段は省略されており、その筒体拡幅手段が開いている状態で、その加熱溶着筒体移動ローラーは閉じている状態の図であって、さらにそのＡ１とＢ１はそれぞれその底面端面図であり、そのＡ２とＢ２はそれぞれその正面図を示したものである。
【符号の説明】
１　　被包装物投入口
２　　製筒手段
３　　加熱溶着フィルム
４　　加熱溶着筒体
５　　筒体拡幅手段
５ａ　受動回転部
６　　筒体拡幅駆動手段
６ａ　駆動回転部
７　　加熱横断シール手段
８　　被包装物
Ｐ　　ピボット
Ｒ　　移動手段
【図１】
2004035090.tif 000003
【図２】
2004035090.tif 000004
【図３】
2004035090.tif 000005
【図４】
2004035090.tif 000006
【図５】
2004035090.tif 000007
【手続補正書】
【提出日】平成14年7月10日(2002.7.10)
【手続補正１】
【補正対象書類名】明細書
【補正対象項目名】全文
【補正方法】変更
【補正の内容】
【発明の詳細な説明】
【特許請求の範囲】
【請求項１】被包装物投入口、該被包装物投入口付近に設けられたものであって筒体拡幅手段加熱溶着フィルムの両端を互いに溶着して筒状にする製筒手段、該製筒手段により製筒された加熱溶着筒体を下流に移動するローラー等の移動手段、該移動手段の直前に設けられたものであってピボットを中心に左右対称に回動し上記の加熱溶着筒体の横断シール箇所を左右に広げるものであって且つその先端となる受動部に受動回転部が設けられている一対の筒体拡幅手段、該筒体拡幅手段を駆動するものであって且つその先端となる駆動部に駆動回転部が設けられている一対の筒体拡幅駆動手段、該筒体拡幅手段の直下にある上記の移動手段の直下に設けられた加熱横断シール手段、より構成されることを特徴とした包袋機。
【請求項２】被包装物投入口、該被包装物投入口の付近に設けられたものであって筒体拡幅手段加熱溶着フィルムの両端を互いに溶着して筒状にする製筒手段、該製筒手段により製筒された加熱溶着筒体を下流に移動するローラー等の移動手段、該移動手段の直前に設けられたものであってピボットを中心に左右対称に回動し上記の加熱溶着筒体の横断シール箇所を左右に広げるものであって且つその先端となる受動部に受動滑走部が設けられている一対の筒体拡幅手段、該筒体拡幅手段を駆動するものであって且つその先端となる駆動部に駆動滑走部が設けられている一対の筒体拡幅駆動手段、該筒体拡幅手段の直下にある上記の移動手段の直下に設けられた加熱横断シール手段、より構成されることを特徴とした包袋機。
【発明の詳細な説明】
【０００１】
【発明の属する技術分野】
本発明は、広くは食品等の包装物を包装する包装装置に関するものであり、特に加熱溶着フィルム使用の密閉包装装置に関するものである。就中、惣菜等の粘体または液体中に固形物の入った物を密着シールする包装装置に関するものである。
【０００２】
【従来の技術】
従来、加熱溶着フィルム使用の包装シール装置は、固形物を包装するものと液体を包装するものと、さらには惣菜等の粘体または液体中に固形物の入った物を包装する包装装置がある。
【０００３】
【発明が解決しようとする課題】
しかして、固形物を包装する場合にはそのシールの密閉性はそれほど問題にならない。一方、液体のみを包装する場合には、その密閉性が大事で大きな問題となるが、その横断シール部すなわちその袋の上下（入り口と底部）の横断シール部のシールの密閉性確保には大きな問題は生じない。何故ならば、液体はその袋への投入口の対抗部が非常に狭いスリット状の筒体拡幅手段もその隙間を容易にすり抜けてその袋内に投入できるためである。それゆえに、その袋の横断シール部はスリット状の拡幅平行状に保てることにより、その横断シール時にそのシール部にしわが寄ることはない。それで、そのシールの密閉性が保てる。
【０００４】
しかし、惣菜等の粘体または液体中に固形物の入った物をその包装袋内に投入する場合には、その包装袋への被包装物投入口の対抗する壁面が非常に狭いスリット状のものであると、その液体はそこを容易にすり抜けることができるが、その中の固形物はそのスリット状の投入口に引っかかってしまう。それでその対抗する壁面を広い円形や楕円形にして、その固形物も容易にその投入口を通り抜けることができるようにしなければならないことになる。
【０００５】
そうすると、今度はその袋の上下部（包装袋の底部と入り口）を横断状にシールするときに、その上下部が円形又はそのシール部分の対抗する面の間隔が広い長円形（図１のＡの被包装物投入口１のごときそのシール面の対抗する間隔が広い形状）の状態であるために、その対抗部を無理矢理平行に接触させると、そこにしわが寄りやすくなる。すなわち、スリット状の対抗部は互いに閉じてもそのシール面は直線状に平行なのですんなり重なり合う。しかし、円形とか円に近いか又は幅広の長円形の場合はそれを閉じたときにはその左右への無理な力が生じてしまい、そこにしわが寄ってしまいがちである。そうすると、そのシール部のしわの箇所から液体や粘体がにじみ出てしまう。
【０００６】
【課題を解決するための手段】
本発明にかかる包袋機用加熱溶着フィルムに使用の包装袋への固形物投入と包装袋密閉シール装置は、以上の問題点を解決するために、その袋の上下部となる横断シール部にその加熱溶着筒体の横断シール箇所を左右に広げる手段とその筒体拡幅手段を駆動する筒体拡幅駆動手段を設けたものとした。これにより、その加熱溶着筒体のシール面の対抗する間隔を図２のＡのごとくに狭めると同時にその対向する面を平行状にしたものである。それにより、そのシール時のしわの発生を抑制した構成にしたものである（なお、この加熱溶着筒体のシール面の対抗する間隔は実際は非常に狭いものであるが、図２のＡでは分かりやすくするために多少広く描いた）。
【０００７】
また、筒体拡幅手段に受動回転部（受動滑走部）を設け、さらに筒体拡幅駆動手段にも駆動回転部（駆動滑走部）を設けて、その加熱溶着フィルムとの摩擦を解消しその加熱溶着フィルムの破損を防ぐ構成とした。
【０００８】
以下に、本発明にかかる包袋機用加熱溶着フィルムに使用の包装袋への固形物投入と包装袋密閉シール装置の具体的な構成を詳細に記載する。最初に、本発明の請求項１に記載した発明の構成を説明する。この発明は、まず、被包装物投入口がある。つぎに、製筒手段がある。この製筒手段は、上記の被包装物投入口付近に設けられたものであり、且つ加熱溶着フィルムの両端を互いに溶着して筒状にするものである。そして、ローラー等の移動手段がある。この移動手段は、上記の製筒手段により製筒された加熱溶着筒体を下流に移動するものである。そして、一対の筒体拡幅手段がある。この一対の筒体拡幅手段は、上記の移動手段の直前に設けられたものであって、ピボットを中心に左右対称に回動し、上記の加熱溶着筒体の横断シール箇所を左右に広げるものである。そして、その先端となる受動部に受動回転部が設けられているものである。
【０００９】
さらに、筒体拡幅駆動手段がある。この筒体拡幅駆動手段は、上記の筒体拡幅手段を駆動するものであって且つその先端となる駆動部に駆動回転部が設けられているものである。最後に、加熱横断シール手段がある。この加熱横断シール手段は、上記の筒体拡幅手段の直下にある上記の移動手段の直下に設けられたものである。
【００１０】
つぎに、本発明にかかる包袋機用加熱溶着フィルムに使用の包装袋への固形物投入と包装袋密閉シール装置の請求項２に記載した発明の構成を説明する。この発明は、以下の点以外は上記の請求項１の発明の構成と同一である。それゆえに、上記の請求項１の発明の構成の説明の全文の中から以下の点を除いてそれをここに援用して、以下の構成の説明をこれに追加する。この発明と上記の請求項１の発明の構成との差異は、受動回転部と駆動回転部の存在である。この受動回転部と駆動回転部は、必ずしも回転部材である必要はなく、その加熱溶着フィルムに対して滑りのよい部材であればよいのであるからそれぞれその受動回転部と駆動回転部を受動滑走部と駆動滑走部とする。
【００１１】
【発明の実施の形態】
以下に、本発明にかかる包袋機用加熱溶着フィルムに使用の包装袋への固形物投入と包装袋密閉シール装置の一般的な実施の形態を述べる。まず、製筒手段が不撓性で長円筒の被包装物投入口付近に設けられて、フレキシブルな合成樹脂製の加熱溶着フィルムの両端を互いに加熱溶着してその加熱溶着フィルムを筒状にする。そして、加熱溶着筒体が上記の製筒手段により包袋用に製筒されて、移動手段によりその製筒手段の下流に移動させられる。
【００１２】
さらに、筒体拡幅手段が上記の加熱溶着筒体の内部に設けられるようになっていて、この加熱溶着筒体の横断シール箇所を左右に広げる。この筒体拡幅手段の先端となる受動部には受動回転部（受動滑走部）が設けられていて、その加熱溶着筒体との滑りをよくしている。そして、筒体拡幅駆動手段が上記の筒体拡幅手段５を駆動する。そして、その先端となる駆動部に駆動回転部（駆動滑走部）が設けられていて、その加熱溶着筒体との滑りをよくしている。最後に、ヒーター入りの加熱横断シール手段が上記の筒体拡幅手段５の直下にある上記の移動手段の直下に設けられ、その加熱溶着筒体の上下部を横断状にシールする。
【００１３】
【実施例】
しかして、本発明にかかる包袋機用加熱溶着フィルムに使用の包装袋への固形物投入と包装袋密閉シール装置をその具体的な実施例を用いて添付の図面と共に詳細に述べる。この発明は、まず、不撓性で長円筒の被包装物投入口１がある。つぎに、包袋用の筒を作る製筒手段２がある。この製筒手段２は、上記の被包装物投入口１付近に設けられたものである。そして、フレキシブルな合成樹脂製の加熱溶着フィルム３の両端３ａを互いに加熱溶着してその加熱溶着フィルム３を筒状にするものである。さらに、加熱溶着筒体４がある。この加熱溶着筒体４は、上記の製筒手段２により製筒されたものである。そして、移動手段Ｒによりその製筒手段２の下流に移動させられたものである。
【００１４】
さらには、一対の筒体拡幅手段５がある。この筒体拡幅手段５は、上記の移動手段Ｒの直下であって、その加熱溶着筒体３の内部に包み込まれる状態に位置づけされたものである。そして、この加熱溶着筒体３の横断シール箇所をその筒体拡幅手段５のピボットＰを中心にそれぞれ対向して回動し、その加熱溶着筒体３を左右に広げるものである。そして、その先端となる受動部にはボールベアリングとかローラー状等の受動回転部５ａが設けられている。そして、筒体拡幅駆動手段６がある。この筒体拡幅駆動手段６は、上記の筒体拡幅手段５を駆動するものであって、且つその先端となる駆動部にボールベアリングとかローラー状等の駆動回転部６ａが設けられている。
【００１５】
なお、この受動回転部５ａと駆動回転部６ａは、その加熱溶着フィルム３に対して滑りのよい部材であればよいのであるから、その受動回転部５ａと駆動回転部６ａは、回転機能のないものであって滑りやすい部材のみから成るという受動滑走部と駆動滑走部としてもよい。さらには、電気ヒーター入りの一対の開閉自在の加熱横断シール手段７がある。この加熱横断シール手段７は、上記の筒体拡幅手段５の直下にある上記の移動手段Ｒであるローラーの直下にある筒体拡幅手段５に設けられたものであって、その加熱溶着筒体３の上下部を横断状に密閉シールする。
【００１６】
しかして、以上をもとにその動作を説明する。まず、図１の状態にある製筒手段２に上記の被包装物投入口１から惣菜等の被包装物８が投入される。この時、その筒体拡幅手段５の底部は密閉シールされており（シール部４ａ）、その加熱横断シール手段７は開いている（図１のＡおよび図３のＡを参照）。また、その移動手段（加熱溶着筒体移動ローラー）Ｒも同様に開いている。そして、図３のＢのごとくに、その被包装物８がその加熱溶着筒体４に投入された後に、その筒体拡幅駆動手段６の駆動回転部６ａが図４のＢのように左右から飛び出して、その加熱溶着フィルム３の左右をはさむようにその筒体拡幅手段５の受動回転部５ａを中心側に押して、その筒体拡幅手段５の先端部分を左右に開かせる。それで、その加熱溶着筒体４の入り口の開口部は、図２および図４のＢのように左右に広げられる。そうなると、その加熱溶着筒体４の対抗するシール面は図４のＡのように平行状態に近づく。その後で、その移動手段Ｒが図６のように閉じて図５と６に示すごとくに回転し、その加熱溶着筒体４を送り出す。つぎに、その加熱横断シール手段７は図５のＡのごとくに閉じて、その加熱溶着筒体４のその部分を加熱用着して横断状に密閉シールをする。
【００１７】
そして、その加熱横断シール手段７（この図６と７では、加熱溶着筒体移動ローラーＲを分かりやすくするように、その加熱横断シール手段７は省略されている）は開いて、加熱溶着筒体移動ローラーＲを閉じてその図のごとくに回転させられる。最後に、その加熱溶着筒体移動ローラーＲの回転を止めて、その加熱溶着筒体４の密着シールしたシール部４ａの中程を横にカットする（図７のＢを参照）ものである。これで、その下部の包装済みの袋は落下し、図１の状態に戻り一工程が終わる。
【００１８】
【発明の効果】
本発明にかかる包袋機用加熱溶着フィルムに使用の包装袋への固形物投入と包装袋密閉シール装置は、以上のごとくになしたゆえに、上記の課題を解決して以下のごとき多大な効果が生じた。すなわち、固形物入りの液体包装装置の間隔幅が広い長円形の被包装物投入口は、加熱溶着筒体を閉じてシールしたときにもしわが寄ってしまわないものとなった。また、筒体拡幅手段の受動回転部と筒体拡幅駆動手段の駆動回転部がその加熱溶着フィルムとの摩擦を解消しその加熱溶着フィルムの破損を防ぐものとなった。また、筒体拡幅手段の受動回転部と筒体拡幅駆動手段の駆動回転部がその加熱溶着フィルムとの摩擦を解消しその加熱溶着フィルムの破損を防ぐものとなった。
【図面の簡単な説明】
【図１】本発明にかかる包袋機用加熱溶着フィルムに使用の包装袋への固形物投入と包装袋密閉シール装置の一実施例での筒体拡幅手段が開いていない状態の図であって、そのＡはその底面端面図であり、そのＢはその正面図を示したものである。
【図２】図１の実施例のものの筒体拡幅手段が開いている状態の図であって、そのＡはその底面端面図であり、そのＢはその正面図を示したものである。
【図３】図１の実施例のものの行程図の第一段階を示したもので、その筒体拡幅手段が閉じている状態であり、そのＡはその底面端面図であつて、そのＢはその正面図を示したものである。
【図４】図１の実施例のものの行程図の第二段階を示したもので、その筒体拡幅手段が開いている状態の図であって、そのＡはその底面端面図であり、そのＢはその正面図を示したものである。
【図５】図１の実施例のものの行程図の第三段階を示したもので、その筒体拡幅手段が開いている状態で、その加熱横断シール手段は閉じて加熱溶着筒体をシールしている状態の図であって、さらにそのＡはその底面端面図であり、そのＢはその正面図を示したものである。
【図６】図１の実施例のものの行程図の第四段階を示したもので、その加熱横断シール手段は省略されており、その筒体拡幅手段が開いている状態で、その加熱溶着筒体移動ローラーは閉じて回転している状態の図であって、さらにそのＡはその底面端面図であり、そのＢはその正面図を示したものである。
【図７】図１の実施例のものの行程図の第五段階を示したもので、その加熱横断シール手段は省略されており、その筒体拡幅手段が開いている状態で、その加熱溶着筒体移動ローラーは閉じて停止していて、そのシールされた包装袋がカットされている状態の図であって、さらにそのＡはその底面端面図であり、そのＢはその正面図を示したものである。
【符号の説明】
１　　被包装物投入口
２　　製筒手段
３　　加熱溶着フィルム
４　　加熱溶着筒体
４ａ　シール部
５　　筒体拡幅手段
５ａ　受動回転部
６　　筒体拡幅駆動手段
６ａ　駆動回転部
７　　加熱横断シール手段
８　　被包装物
Ｐ　　ピボット
Ｒ　　移動手段
【手続補正２】
【補正対象書類名】図面
【補正対象項目名】全図
【補正方法】変更
【補正の内容】
【図１】
2004035090.tif 000008
【図２】
2004035090.tif 000009
【図３】
2004035090.tif 000010
【図４】
2004035090.tif 000011
【図５】
2004035090.tif 000012
【図６】
2004035090.tif 000013
【図７】
2004035090.tif 000014